(57)【要約】【課題】  手首や首などに巻き付けて着用することが出来る湾曲可能な細長カイロの提供。【解決手段】  カイロは湾曲出来るように細長く延びると共に、所々に仕切り部３，３・・を設けて発熱する充填剤５が袋４に収容されているカイロ部２，２・・を複数設け、該カイロを身体に巻き付けて着用した場合に外れ落ちないように止着手段を備えている。【選択図】    図２
2020065626.tif 000002
【特許請求の範囲】
【請求項１】
鉄粉などを主成分とした充填剤を用いたカイロにおいて、該カイロは湾曲出来るように細長く延びると共に、所々に仕切り部を設けて上記充填剤が袋に収容されているカイロ部を複数設け、該カイロを身体に巻き付けて着用した場合に外れ落ちないように止着手段を備えていることを特徴とする湾曲可能な細長カイロ。
【請求項２】
上記カイロを外袋に収容し、この外袋に止着手段を備えた請求項１記載の湾曲可能な細長カイロ。
【請求項３】
上記カイロの両先端部にヒモを連結した請求項１、又は請求項２記載の湾曲可能な細長カイロ。
【請求項４】
上記止着手段として両面テープを用いた請求項１、請求項２、又は請求項３記載の湾曲可能な細長カイロ。
【請求項５】
止着手段をカイロに直接取付けることなく、該カイロとは分離した状態で提供するようにした請求項１、請求項２、請求項３、又は請求項４記載の湾曲可能な細長カイロ。
【発明の詳細な説明】
【技術分野】
【０００１】
本発明は細長く延びて、首回りや手首などに巻き付けて使うことが出来る細長カイロに関するものである。
【背景技術】
【０００２】
近年、カイロといえば使い捨てカイロであり、寒い冬になれば、適当な箇所に貼って身体を温めることが出来る。
ところで、カイロの中には充填剤として、鉄粉・水・活性炭・木粉・塩類が入っている。メインの成分は、さびる（酸化する）ことで熱を発生する鉄粉であり、他の成分は酸化をサポートするもので、適当な温度や持続時間が得られるように、工夫した配合となっている。
【０００３】
従来の使い捨てカイロは、長方形をなして必要とする箇所に貼着することが出来る。
（１）首
首には太い血管があるため、首を温めるならば全身が効率よく温まる。そして、首を前に曲げた時に、首と背中の間に骨が飛び出している箇所である大椎があり、この大椎にカイロを貼り付けることで全身を温めることが出来る。
（２）背中
肩から背中にかけて僧帽筋という大きな筋肉があり、この僧帽筋が冷えると血流が悪くなり、筋肉が固くなってしまう。そんな時は、肩甲骨の間を温めるとよい。
（３）お腹
ヘソの僅か下側には気海といわれるツボが存在し、この箇所を温めるならば冷え込んでいる全身を温めることが出来る。
（４）腰・尻
腰は、冷えによる不調を感じ易い場所である。ヘソの真裏には命門というツボがり、そこから僅か外側には腎兪というツボがある。この辺りをカバーするようにカイロを貼ると、腰全体を温めることが出来る。
（５）足
冷えやすい足の中でも、特に指先は温めたいポイントである。全身を温めるには、太い血管がある足首のくるぶし周辺を温めると効果的である。
内くるぶしの後ろで、アキレス腱との間のくぼみには太谿という冷え対策によいと言われるツボがある。
【０００４】
カイロを貼って使う箇所は上記の場合に限るものではなく、カイロの使い方は購入した個人の自由である。
このように、従来の使い捨てカイロはその形状を長方形としたもので、その大きさ（縦横サイズ）も色々あり、首や肩、腰などの必要とする個所に貼り付けて使うことが出来る。勿論、貼付けタイプでない使い捨てカイロも知られているが、何れのタイプのカイロにしても温められる領域は限定される。
【０００５】
例えば、首の全周にわたって温めるには長方形をした従来の使い捨てカイロでは不便である。
同じく、手首を温める場合、また足首を温める場合も不便である。例えば、首の周りを温める場合、複数枚のカイロを首の周りに貼り付けるならば、熱く成り過ぎる。
ところで、使い捨てカイロに関しては、従来から数多くの特許出願及び実用新案登録出願がなされている。
【発明の開示】
【発明が解決しようとする課題】
【０００６】
寒い時期になると使い捨てカイロの消費量は膨大な数に上がる。しかし、基本的に長方形をした従来の使い捨てカイロは、身体のあらゆる箇所に貼り付けることが出来ない。
本発明が解決しようとする課題は、従来の長方形をした使い捨てカイロとは異なり、身体に巻き付けて使うことが出来るように湾曲可能な細長カイロを提供する。
【課題を解決するための手段】
【０００７】
本発明に係る細長カイロは湾曲することが出来て、身体に巻き付けて使うことを可能としている。
ところで、カイロは充填剤として熱を発生する成分を有し、一般的には、鉄粉・水・活性炭・木粉・塩類が用いられている。メインの成分は、酸化することで熱を発生する鉄粉であり、他の成分は酸化をサポートする役目を有している。
【０００８】
そこで、本発明の細長カイロは手首や首などに巻き付けることが出来るように、所々に仕切りを設け、袋に充填剤を入れた複数のカイロ部が繋がれた形態としている。
そして、この細長カイロには止着手段を備えている。この止着手段とは手首や首などに巻き付けた場合に外れ落ちないようにするものであり、ただし、止着手段の具体的な方法は限定しないことにする。例えば、ヒモ、両面テープ、粘着テープ（マジックテープ）が適している。
ところで、上記細長カイロに直接止着手段を取付けることも出来るが、該細長カイロを外袋に収容し、この外袋を利用して止着手段を取付けることも可能である。
【発明の効果】
【０００９】
本発明に係る細長カイロは、湾曲することが出来る為に手首や首に巻き付けて使うことが出来る。勿論、肩や腰に貼って使う従来の長方形の使い捨てカイロとは用途が違い、首に巻き付けるならば、心地よい温かさが維持されて、首の血流を向上することが出来る。同じく手首や足首に巻き付けて使うことで、手足の血流を良くすることが出来る。
【００１０】
そして、細長カイロは貼り付けるのではなく、温めたい箇所に巻き付けて着用するが、外れ落ちないように両面テープや粘着テープ（マジックテープ）、又はヒモなどの止着手段を介してと止付けされる。
また、細長カイロは充填剤を袋に入れた複数のカイロ部が、仕切り部を介して繋がっていることで、手首や首などに簡単に巻き付けすることが出来る。
【図面の簡単な説明】
【００１１】
【図１】湾曲可能な細長カイロを示す実施例。
【図２】止着手段として、両先端部にヒモを連結した湾曲可能な細長カイロの実施例。
【図３】止着手段として両面テープを用いた湾曲可能な細長カイロを示す実施例。
【図４】本発明の湾曲可能な細長カイロを首に巻き付けて、ヒモを結んて着用した場合。
【発明を実施するための形態】
【００１２】
図１は本発明の細長カイロ１を示す実施例であり、（ａ）は平面図、（ｂ）は（ａ）のＡ−Ａ断面図、（ｃ）は（ａ）のＢ−Ｂ断面図をそれぞれ表している。同図の２はカイロ部、３は仕切り部で、同図の細長カイロ１は４つのカイロ部２，２・・・を有し、カイロ部２，２・・・は仕切り部３，３・・・にて仕切られている。
したがって、細長カイロ１は湾曲して手首や首に巻き付けることが可能である。
【００１３】
カイロ部２はＡ−Ａ断面を図１（ｂ）に示しているように楕円形を成し、袋４には酸化して適度な温度に発熱することが出来る充填剤５を収容している。ここで、充填剤５の具体的な成分は限定しないが、鉄粉を主成分として、その他に活性炭や木粉、塩類などが混ざり合っている。
カイロ部２は円形ではなく楕円形断面としていることで湾曲し易く、また仕切り部３は袋４の両面が密着していて充填剤４はなく、その為に屈曲することが出来る。
【００１４】
ところで、該細長カイロ１を手首や首に巻き付けただけでは外れ落ちてしまうために、外れ落ちないように止着することが出来形態となっている。すなわち、手首や首に巻き付けた状態で外れないように止着手段を備えているが、紐や粘着テープ（マジックテープ）など色々あるが、本発明ではこの止着手段の具体的な形態や構造に関しては限定しないことにする。
【００１５】
例えば、細長カイロ１の両先端に紐６ａ，６ｂを連結し、細長カイロ１を着用した状態で該紐６ａ，６ｂを結ぶことが出来る。
図２は細長カイロ１の両先端に紐６ａ，６ｂが繋がれている場合の具定例である。ところで、細長カイロ１を手首に巻き付ける場合、又は首に巻き付ける場合、一方、足首に巻き付ける場合とでは、その太さが違うことで周長に違いが生じる。
そこで、その周長の違いは紐６ａ，６ｂによって調整することが出来る。
【００１６】
すなわち、比較的太くて周長の長い首に巻き付ける場合には、細長カイロ１をほぼ１巻き状態にしたところで紐６ａ，６ｂにて結びつける。これに対して、細い手首に巻き付ける場合には、細長カイロ１を２〜３巻きした状態で紐６ａ，６ｂを結ぶことで外れ落ちることなく安定して着用することが可能である。
【００１７】
図３は細長カイロ１の一方側先端部８に両面テープ７を貼り付けた場合の実施例である。例えば、首に巻き付けた状態で該両面テープ７の表面シールを剥がして他方側先端部９に貼着することが可能である。
ただし、上記両面テープ７は細長カイロ１を巻き付ける箇所の太さの違いで、その位置が異なるために、該両面テープ７は細長カイロ１に前以て貼り付けることなく、細長カイロ１と分離した状態で一つの組として販売することが出来る。
【００１８】
勿論、細長カイロ1の両先端部が止着される位置が不均等でなくても構わないのであれば、上記図３に示すように一方側先端部８には両面テープ７を前以て貼り付けておき、他方側は該両面テープ７と適当な位置に貼り付けられる。
ここで、細長カイロ１を構成している袋４は両面テープ７が貼り付け出来るように滑らかな生地面としていることが必要であるが、粗い生地面である場合には滑らかな生地の外袋に収容して使うことも出来る。
すなわち、外袋に両面タープ７を貼り付けて着用する。止着手段として、図２に示したヒモ６ａ，６ｂを用いている細長カイロ１の場合も、外袋にヒモ６ａ，６ｂを繋ぐことも出来る。
【００１９】
図４は本発明の細長カイロ１を首１０に巻き付けて着用した場合の具定例を示している。該細長カイロ１は首１０に巻き付けられ、外れないように両先端から延びるヒモ６ａ，６ｂが結ばれている。首１０に巻き付けられる細長カイロ１は首１０を強く締め付けないように、適度な張力を付加して両ヒモ６ａ，６ｂは結ばれる。
両面テープや粘着テープ（マジックテープ）を使用して細長カイロ１を着用する場合も同じである。
【符号の説明】
【００２０】
１   細長カイロ
２   カイロ部
３   仕切り部
４   袋
５   充填剤
６   ヒモ
７   両面テープ
８   一方側先端部
９   他方側先端部
10   首
【図１】
2020065626.tif 000003
【図２】
2020065626.tif 000004
【図３】
2020065626.tif 000005
【図４】
2020065626.tif 000006